【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
人の状況を確認するための設備であって、
人が携帯し、電磁波により会話開始信号を発信しうる携帯用端末と、
建造物に取り付けられた、音声受信機および／または音声発信機を有する外部会話装置と、
該外部会話装置から離間した場所に設けられ、該外部会話装置の音声受信機が受信した音声を出力する音声出力部および／または、該外部会話装置の音声発信機に対して送信する音声を入力する音声入力部、を備えた監視装置と、
該監視装置と前記外部会話装置との間の接続遮断を制御する会話制御手段とからなり、
前記会話制御手段は、
前記携帯用端末が発信する前記会話開始信号を受信する信号受信部と、
通常は前記監視装置と前記外部会話装置との間を遮断しておき、前記信号受信部が前記会話開始信号を受信すると、前記監視装置と前記外部会話装置との間を接続するスイッチ部と、を備えている
ことを特徴とする安全確認設備。
【請求項２】
前記外部会話装置が複数設けられており、
該複数の外部会話装置は、互いに離間した場所に設けられており、
前記会話制御手段は、
前記信号受信部が受信した前記会話開始信号に基づいて、前記監視装置に接続させる前記外部会話装置を選択する選択部を備えており、
前記スイッチ部は、
通常は前記監視装置と前記複数の外部会話装置との間を遮断しておき、前記選択部によって前記監視装置に接続させる前記外部会話装置が選択されると、該選択された外部会話装置と前記監視装置との間を接続する
ことを特徴とする請求項１記載の安全確認設備。
【請求項３】
前記携帯用端末は、
前記会話開始信号を発信する発信器と、
該発信器による前記会話開始信号の発信を制御する制御部とを備えており、
該制御部は、
異常を検出した場合に、前記発信器に対して前記会話開始信号の発信を指示する自動発信スイッチを備えている
ことを特徴とする請求項１または２記載の安全確認設備。
【請求項４】
前記自動発信スイッチが、
前記携帯用端末を所持する人の動作を検出する、動作検出センサと、
該動作検出センサが該携帯用端末を所持する人の特定の動作を検出すると、前記発信器に対して前記会話開始信号の発信を指示する指示部とを備えている
ことを特徴とする請求項３記載の安全確認設備。
【請求項５】
前記動作検出センサが、倒れセンサである
ことを特徴とする請求項４記載の安全確認設備。
【請求項６】
前記携帯用端末の発信器は、
前記会話開始信号と同時にまたは別に異常信号を発信できるように構成されており、
前記自動発信スイッチが、
該携帯用端末の異常を検出する故障検出センサと、
該故障検出センサが該携帯用端末の異常を検出すると、前記発信器に対して前記異常信号の発信を指示する指示部とを備えている
ことを特徴とする請求項３記載の安全確認設備。
【請求項７】
前記携帯用端末には、個別にＩＤ番号が付与されており、
前記発信器が発信する前記異常信号には、前記ＩＤ番号の情報が含まれている
ことを特徴とする請求項６記載の安全確認設備。
【請求項８】
前記携帯用端末は、
前記会話開始信号を発信する発信器と、
該発信器による前記会話開始信号の発信を制御する制御部とを備えており、
該制御部は、
該携帯用端末を所持する人が操作して、前記発信器に対して前記会話開始信号の発信を指示する手動発信スイッチを備えている
ことを特徴とする請求項１、２または３記載の安全確認設備。
【請求項９】
前記手動発信スイッチを作動させる機構が、押しボタン方式または引き抜き方式である
ことを特徴とする請求項８記載の安全確認設備。
【請求項１０】
前記携帯用端末には、個別にＩＤ番号が付与されており、
前記発信器が発信する前記会話開始信号には、前記ＩＤ番号の情報が含まれている
ことを特徴とする請求項１乃至９のいずれかに記載の安全確認設備。
【請求項１１】
前記携帯用端末の発信器が発信する会話開始信号に含まれる前記ＩＤ番号に基づいて、該携帯用端末と特定の監視装置との間の回線を確保するように構成されている
ことを特徴とする請求項１０記載の安全確認設備。
【請求項１２】
前記外部会話装置の音声受信機および／または音声発信機に代えて、該音声受信機および／または音声発信機と同等の機能を有する受信機および／または発信機が、前記携帯用端末に設けられており、
前記受信機および／または前記発信機は、
前記監視装置との間で、音声を送受信可能なものである
ことを特徴とする請求項１乃至１１のいずれかに記載の安全確認設備。
【請求項１３】
前記会話制御手段は、
個別にＩＤ番号が付与され、前記複数の外部会話装置内にそれぞれ設置された複数の信号受信部を備えており、
前記会話制御手段は、
前記複数の信号受信部が受信した前記会話開始信号と、該会話開始信号を受信した前記複数の信号受信部のＩＤ番号に基づいて、前記携帯用端末の位置を特定する位置特定手段を備えている
ことを特徴とする請求項２記載の安全確認設備。
【請求項１４】
前記外部会話装置が、カメラ機能を備えている
ことを特徴とする請求項１または２記載の安全確認設備。
【請求項１５】
前記会話制御手段と接続された緊急警報装置を備えており、
前記会話制御手段の信号受信部は、
前記会話開始信号を受信したときに、手動または自動で前記緊急警報装置に対して作動指令信号を送信する作動指令送信機能を備えている
ことを特徴とする請求項１または２記載の安全確認設備。
【請求項１６】
前記監視装置は、人が持ち運び可能な大きさに形成されている
ことを特徴とする請求項１または２記載の安全確認設備。
【請求項１７】
人の状況を確認する方法であって、
人が携帯する携帯用端末から発信される会話開始信号を会話制御手段が受信すると、会話制御手段によって、建造物に取り付けられた外部会話装置と、該外部会話装置から離間した場所に設けられた監視装置とが、両者間で会話可能な状態で接続される
ことを特徴とする安全確認方法。
【請求項１８】
前記携帯用端末が異常を検出すると、該携帯用端末から前記会話開始信号が自動的に発信される
ことを特徴とする請求項１７記載の安全確認方法。
【請求項１９】
前記携帯用端末の異常状態を検出すると、該携帯用端末から異常信号が発信される
ことを特徴とする請求項１７記載の安全確認方法。
【請求項２０】
前記携帯用端末を該携帯用端末を所持する人が操作すると、該前記携帯用端末から前記会話開始信号が発信される
ことを特徴とする請求項１７記載の安全確認方法。
【請求項２１】
前記携帯用端末には、個別にＩＤ番号が付与されており、
前記携帯用端末が発信する前記異常信号および／または前記会話開始信号には、前記ＩＤ番号の情報が含まれている
ことを特徴とする請求項１７、１８、１９または２０記載の安全確認方法。
【請求項２２】
前記外部会話装置が複数設けられており、
前記会話制御手段は、
個別にＩＤ番号が付与され、前記複数の外部会話装置内にそれぞれ設置された複数の信号受信部を備えており、
前記複数の信号受信部が受信した前記会話開始信号と、該会話開始信号を受信した前記複数の信号受信部のＩＤ番号に基づいて、前記携帯用端末の位置を特定する
ことを特徴とする請求項１７記載の安全確認方法。
【請求項２３】
前記会話制御手段と接続された緊急警報装置を備えており、
前記会話制御手段が前記会話開始信号を受信すると、該会話制御手段から前記緊急警報装置に対して作動指令信号が送信される
ことを特徴とする請求項１７記載の安全確認方法。
【手続補正２】
【補正対象書類名】明細書
【補正対象項目名】００１１
【補正方法】変更
【補正の内容】
【００１１】
第１発明の安全確認設備は、人の状況を確認するための設備であって、人が携帯し、電磁波により会話開始信号を発信しうる携帯用端末と、建造物に取り付けられた、音声受信機および／または音声発信機を有する外部会話装置と、該外部会話装置から離間した場所に設けられ、該外部会話装置の音声受信機が受信した音声を出力する音声出力部および／または、該外部会話装置の音声発信機に対して送信する音声を入力する音声入力部、を備えた監視装置と、該監視装置と前記外部会話装置との間の接続遮断を制御する会話制御手段とからなり、前記会話制御手段は、前記携帯用端末が発信する前記会話開始信号を受信する信号受信部と、通常は前記監視装置と前記外部会話装置との間を遮断しておき、前記信号受信部が前記会話開始信号を受信すると、前記監視装置と前記外部会話装置との間を接続するスイッチ部と、を備えていることを特徴とする。
第２発明の安全確認設備は、第１発明において、前記外部会話装置が複数設けられており、該複数の外部会話装置は、互いに離間した場所に設けられており、前記会話制御手段は、前記信号受信部が受信した前記会話開始信号に基づいて、前記監視装置に接続させる前記外部会話装置を選択する選択部を備えており、前記スイッチ部は、通常は前記監視装置と前記複数の外部会話装置との間を遮断しておき、前記選択部によって前記監視装置に接続させる前記外部会話装置が選択されると、該選択された外部会話装置と前記監視装置との間を接続することを特徴とする。
第３発明の安全確認設備は、第１または第２発明において、前記携帯用端末は、前記会話開始信号を発信する発信器と、該発信器による前記会話開始信号の発信を制御する制御部とを備えており、該制御部は、異常を検出した場合に、前記発信器に対して前記会話開始信号の発信を指示する自動発信スイッチを備えていることを特徴とする。
第４発明の安全確認設備は、第３発明において、前記自動発信スイッチが、前記携帯用端末を所持する人の動作を検出する、動作検出センサと、該動作検出センサが該携帯用端末を所持する人の特定の動作を検出すると、前記発信器に対して前記会話開始信号の発信を指示する指示部とを備えていることを特徴とする。
第５発明の安全確認設備は、第４発明において、前記動作検出センサが、倒れセンサであることを特徴とする。
第６発明の安全確認設備は、第３発明において、前記携帯用端末の発信器は、前記会話開始信号と同時にまたは別に異常信号を発信できるように構成されており、前記自動発信スイッチが、該携帯用端末の異常を検出する故障検出センサと、該故障検出センサが該携帯用端末の異常を検出すると、前記発信器に対して前記異常信号の発信を指示する指示部とを備えていることを特徴とする。
第７発明の安全確認設備は、第６発明において、前記携帯用端末には、個別にＩＤ番号が付与されており、前記発信器が発信する前記異常信号には、前記ＩＤ番号の情報が含まれていることを特徴とする。
第８発明の安全確認設備は、第１、第２または第３発明において、前記携帯用端末は、前記会話開始信号を発信する発信器と、該発信器による前記会話開始信号の発信を制御する制御部とを備えており、該制御部は、該携帯用端末を所持する人が操作して、前記発信器に対して前記会話開始信号の発信を指示する手動発信スイッチを備えていることを特徴とする。
第９発明の安全確認設備は、第８発明において、前記手動発信スイッチを作動させる機構が、押しボタン方式または引き抜き方式であることを特徴とする。
第１０発明の安全確認設備は、第１乃至第９発明のいずれかにおいて、前記携帯用端末には、個別にＩＤ番号が付与されており、前記発信器が発信する前記会話開始信号には、前記ＩＤ番号の情報が含まれていることを特徴とする。
第１１発明の安全確認設備は、第１０発明において、前記携帯用端末の発信器が発信する会話開始信号に含まれる前記ＩＤ番号に基づいて、該携帯用端末と特定の監視装置との間の回線を確保するように構成されていることを特徴とする。
第１２発明の安全確認設備は、第１乃至第１１発明のいずれかにおいて、前記外部会話装置の音声受信機および／または音声発信機に代えて、該音声受信機および／または音声発信機と同等の機能を有する受信機および／または発信機が、前記携帯用端末に設けられており、前記受信機および／または前記発信機は、前記監視装置との間で、音声を送受信可能なものであることを特徴とする。
第１３発明の安全確認設備は、第２発明において、前記会話制御手段は、個別にＩＤ番号が付与され、前記複数の外部会話装置内にそれぞれ設置された複数の信号受信部を備えており、前記会話制御手段は、前記複数の信号受信部が受信した前記会話開始信号と、該会話開始信号を受信した前記複数の信号受信部のＩＤ番号に基づいて、前記携帯用端末の位置を特定する位置特定手段を備えていることを特徴とする。
第１４発明の安全確認設備は、第１または第２発明において、前記外部会話装置が、カメラ機能を備えていることを特徴とする。
第１５発明の安全確認設備は、第１または第２発明において、前記会話制御手段と接続された緊急警報装置を備えており、前記会話制御手段の信号受信部は、前記会話開始信号を受信したときに、手動または自動で前記緊急警報装置に対して作動指令信号を送信する作動指令送信機能を備えていることを特徴とする。
第１６発明の安全確認設備は、第１または第２発明において、前記監視装置は、人が持ち運び可能な大きさに形成されていることを特徴とする。
第１７発明の安全確認方法は、人の状況を確認する方法であって、人が携帯する携帯用端末から発信される会話開始信号を会話制御手段が受信すると、会話制御手段によって、建造物に取り付けられた外部会話装置と、該外部会話装置から離間した場所に設けられた監視装置とが、両者間で会話可能な状態で接続されることを特徴とする。
第１８発明の安全確認方法は、第１７発明において、前記携帯用端末が人の特定の動作を検出すると、該携帯用端末から前記会話開始信号が自動的に発信されることを特徴とする。
第１９発明の安全確認方法は、第１７発明において、前記携帯用端末の異常状態を検出すると、該携帯用端末から異常信号が発信されることを特徴とする。
第２０発明の安全確認方法は、第１７発明において、前記携帯用端末を該携帯用端末を所持する人が操作すると、該前記携帯用端末から前記会話開始信号が発信されることを特徴とする。
第２１発明の安全確認方法は、第１７、第１８、第１９または第２０発明において、前記携帯用端末には、個別にＩＤ番号が付与されており、前記携帯用端末が発信する前記異常信号および／または前記会話開始信号には、前記ＩＤ番号の情報が含まれていることを特徴とする。
第２２発明の安全確認方法は、第１７発明において、前記外部会話装置が複数設けられており、前記会話制御手段は、個別にＩＤ番号が付与され、前記複数の外部会話装置内にそれぞれ設置された複数の信号受信部を備えており、前記複数の信号受信部が受信した前記会話開始信号と、該会話開始信号を受信した前記複数の信号受信部のＩＤ番号に基づいて、前記携帯用端末の位置を特定することを特徴とする。
第２３発明の安全確認方法は、第１７発明において、前記会話制御手段と接続された緊急警報装置を備えており、前記会話制御手段が前記会話開始信号を受信すると、前記緊急警報装置に対して作動指令信号が送信されることを特徴とする。
【手続補正３】
【補正対象書類名】明細書
【補正対象項目名】００１２
【補正方法】変更
【補正の内容】
【００１２】
（安全確認設備）
（安全確認設備）
第１発明によれば、携帯用端末から会話開始信号が発信されると、会話制御手段によって外部会話装置と監視装置との間で会話可能な状況とすることができる。このため、監視装置の設けられている場所にいる監視者が、携帯用端末を所持する人（携帯用端末所有者）の状況を音声によって確認することができる。しかも、音声で状況を確認するので、映像によって状況を確認する場合に比べて死角を極力少なくできるし、また、夜間などでも状況を把握できる。また、外部会話装置の音声受信機は、携帯用端末所有者の音声だけでなくその周辺の音声も受信できるから、監視者は携帯用端末所有者近辺の状況を把握しやすくなる。さらに、携帯用端末から信号が受信できさえすれば外部会話装置と監視装置との間で会話可能となるし、携帯用端末所有者はハンズフリーで会話が可能であるから、携帯用端末所有者が外部会話装置の近傍にいない場合や、携帯用端末所有者が身動き取れない場合であっても、携帯用端末所有者が監視者と会話することができる。そして、監視者は、外部会話装置を介して携帯用端末所有者の近傍にいる人との会話も可能であるから、携帯用端末所有者が会話できない状況にあっても、携帯用端末所有者の状況を把握でき適切な対応を指示することができる。
第２発明によれば、携帯用端末から会話開始信号が発信されると、会話制御手段が最適な外部会話装置を選択するので、その外部会話装置と監視装置との間で会話可能な状況とすることができる。このため、監視装置の設けられている場所にいる監視者が、携帯用端末を所持する人（携帯用端末所有者）の状況を音声によって確認することができる。しかも、音声で状況を確認するので、映像によって状況を確認する場合に比べて死角を極力少なくできるし、また、夜間などでも状況を把握できる。また、外部会話装置の音声受信機は、携帯用端末所有者の音声だけでなくその周辺の音声も受信できるから、監視者は携帯用端末所有者近辺の状況を把握しやすくなる。さらに、携帯用端末から信号が受信できさえすれば外部会話装置と監視装置との間で会話可能となるし、携帯用端末所有者はハンズフリーで会話が可能であるから、携帯用端末所有者が外部会話装置の近傍にいない場合や、携帯用端末所有者が身動き取れない場合であっても、携帯用端末所有者が監視者と会話することができる。そして、監視者は、外部会話装置を介して携帯用端末所有者の近傍にいる人との会話も可能であるから、携帯用端末所有者が会話できない状況にあっても、携帯用端末所有者の状況を把握でき適切な対応を指示することができる。
第３発明によれば、携帯用端末所有者に異常が生じた場合、自動発信スイッチが作動して、自動的に会話可能な状況とすることができる。すると、携帯用端末所有者がパニック状態になっても、携帯用端末所有者と会話できる状況にすることができるので、安全性を高くすることができる。
第４発明によれば、携帯用端末所有者の動作に応じて自動発信スイッチが作動するから、携帯用端末所有者に異常な行動が発生した場合に、自動的に監視者と携帯用端末所有者とが会話ができる状況とすることができる。また、携帯用端末所有者が状況を把握できない場合や応答できない状況になった場合でも、外部会話装置を介して携帯用端末所有者の近傍にいる人との会話を可能とすることができるので、携帯用端末所有者が救護される可能性を高くすることができる。
第５発明によれば、携帯用端末所有者が転倒して動けなくなった場合でも、自動的に監視者と携帯用端末所有者とが会話ができる状況とすることができる。また、携帯用端末所有者が転倒時の衝撃で意識を失ったりした場合でも、外部会話装置を介して携帯用端末所有者の近傍にいる人との会話を可能とすることができるので、携帯用端末所有者が救護される可能性を高くすることができる。
第６発明によれば、故障検出センサが携帯用端末の作動状況を監視しており、異常が発生したときには異常信号が発信されるので、携帯用端末が故障している場合に、早期に携帯用端末を交換修理できる。
第７発明によれば、異常信号を発信した携帯用端末を特定できるので、早期に携帯用端末を交換修理できる。
第８発明によれば、携帯用端末所有者が異常を感じたときに手動発信スイッチを操作すれば、任意に会話可能な状況とすることができる。
第９発明によれば、手動発信スイッチの操作が容易であるから、緊急時において素早く操作することができ、また、混乱した状況でも操作できる可能性が高くなる。
第１０発明によれば、会話開始信号を発信した携帯用端末所有者を特定できるので、携帯用端末所有者に生じた異常状態を推定することも可能となる。
第１１発明によれば、携帯用端末所有者に異常が生じた場合に、家族等に携帯用端末所有者の異常を知らせることができ、その対応を迅速に行うことができる。
第１２発明によれば、携帯用端末が、外部会話装置の音声受信機と同等の機能を有する受信機および／または外部会話装置の音声発信機と同等の機能を有する発信機を備えているので、携帯用端末所有者の発する音声を確実に受信でき、また、携帯用端末所有者が監視装置から送られる音声を確実に聞くことができる。
第１３発明によれば、各外部会話装置に設けられている信号受信部のＩＤ番号に基づいて、携帯用端末が会話開始信号を発信した位置を特定できるので、携帯用端末所有者に異常があった場合でも、その対応を迅速に行うことができる。
第１４発明によれば、携帯用端末所有者の状況を画像でも確認できるから、携帯用端末所有者の状況や周囲の状況をより把握しやすくなる。
第１５発明によれば、緊急警報装置が作動すれば、外部会話装置から離れた人に対しても異常が発生したことを知らせることができる。
第１６発明によれば、監視装置を持ち運び可能であるので、監視者がどこにいても、携帯用端末所有者からの信号に気づくことができる。
（安全確認方法）
第１７発明によれば、携帯用端末から会話開始信号が発信されると、会話制御手段が最適な外部会話装置を選択するので、その外部会話装置と監視装置との間で会話可能な状況とすることができる。このため、監視装置の設けられている場所にいる監視者が、携帯用端末所有者の状況を音声によって確認することができる。しかも、音声で状況を確認するので、映像によって状況を確認する場合に比べて死角を極力少なくできるし、また、夜間などでも状況を把握できる。また、外部会話装置の音声受信機は、携帯用端末所有者の音声だけでなくその周辺の音声も受信できるから、監視者は携帯用端末所有者近辺の状況を把握しやすくなる。さらに、携帯用端末から信号が受信できさえすれば外部会話装置と監視装置との間で会話可能となるし、携帯用端末所有者はハンズフリーで会話が可能であるから、携帯用端末所有者が外部会話装置の近傍にいない場合や、携帯用端末所有者が身動き取れない場合であっても、携帯用端末所有者が監視者と会話することができる。そして、監視者は、外部会話装置を介して携帯用端末所有者の近傍にいる人との会話も可能であるから、携帯用端末所有者が会話できない状況にあっても、携帯用端末所有者の状況を把握でき適切な対応を指示することができる。
第１８発明によれば、異常を検出すると自動的に会話開始信号が発信されるから、携帯用端末所有者に異常が生じた場合に、自動的に監視者と携帯用端末所有者とが会話ができる状況とすることができる。また、携帯用端末所有者が状況を把握できない場合や応答できない状況になった場合でも、外部会話装置を介して携帯用端末所有者の近傍にいる人との会話を可能とすることができるので、携帯用端末所有者が救護される可能性を高くすることができる。
第１９発明によれば、異常が発生したときには異常信号が発信されるので、携帯用端末が故障している場合に、早期に携帯用端末を交換修理できる。
第２０発明によれば、携帯用端末所有者が異常を感じたときに手動発信スイッチを操作すれば、任意に会話可能な状況とすることができる。
第２１発明によれば、異常信号や会話開始信号を発信した携帯用端末を特定できるので、早期に携帯用端末を交換修理できる。
第２２発明によれば、各外部会話装置に設けられている信号受信部のＩＤ番号に基づいて、携帯用端末が会話開始信号を発信した位置を特定できるので、携帯用端末所有者に異常があった場合でも、その対応を迅速に行うことができる。
第２３発明によれば、緊急警報装置が作動すれば、外部会話装置から離れた人に対しても異常が発生したことを知らせることができる。